(57)【要約】      （修正有）【課題】操作者の作業負担を軽減することや、撮影技師が作業を効率的に進めることが可能な放射線断層撮影装置およびプログラムを提供する。【解決手段】Ｘ線ＣＴ装置は予約部７１を有する。予約部７１は、実行されるプロセスと、プロセスが実行されるタイミングを予約する。例えば、予約部７１は、実行されるプロセスとして、「Ｘ線管のウォームアップ」を予約しており、このプロセスが実行されるタイミングとして、「Ｘ線ＣＴ装置のブートアップの終了後」を予約している。また、スキャンルームには人感センサが設けられている。Ｘ線ＣＴ装置のブートアップが終了しており、且つ人感センサが人を検出していない場合、予約部は、Ｘ線管のウォームアップを実行するためのトリガを生成する。【選択図】図３
2019010426.tif 000002
【特許請求の範囲】
【請求項１】
放射線断層撮影装置のブートアップの終了後に所定のプロセスが実行されるように、前記所定のプロセスが実行されるタイミングを予約する予約手段を有する放射線断層撮影装置。
【請求項２】
前記放射線断層撮影装置のブートアップは、前記放射線断層撮影装置の操作コンソールのブートアップを含む、請求項１に記載の放射線断層撮影装置。
【請求項３】
前記放射線断層撮影装置のブートアップは、前記放射線断層撮影装置のガントリのブートアップを含む、請求項３に記載の放射線断層撮影装置。
【請求項４】
被検体に放射線を照射するための放射線源を有し、
前記所定のプロセスは、前記放射線源のウォームアップを含む、請求項１〜３のうちのいずれか一項に記載の放射線断層撮影装置。
【請求項５】
前記所定のプロセスはキャリブレーションを含む、請求項１〜３のうちのいずれか一項に記載の放射線断層撮影装置。
【請求項６】
前記所定のプロセスは、ファントムスキャンと、前記ファントムスキャンにより得られたデータに基づいて作成された画像の画質評価とを含む、請求項５に記載の放射線断層撮影装置。
【請求項７】
前記予約手段は、前記放射線断層撮影装置のブートアップの終了後に前記所定のプロセスを実行するためのトリガを生成する、請求項１〜６のうちのいずれか一項に記載の放射線断層撮影装置。
【請求項８】
操作者によって操作され、放射線断層撮影装置にスキャンを実行させることを予約するための予約信号を入力する入力装置と、
放射線断層撮影装置によるスキャンの準備が実行されている間に前記予約信号が入力された場合、前記スキャンの準備の完了後に前記スキャンが実行されるように、前記スキャンを実行するタイミングを予約する予約手段と、
を有する、放射線断層撮影装置。
【請求項９】
前記スキャンの準備には、前記被検体を支持するクレードルを移動させることが含まれており、
前記入力装置は、
前記操作者の操作に応じて、前記被検体のスキャン条件が確認されたことを表す確認信号を入力し、前記確認信号の入力の後に、前記操作者の操作に応じて、前記クレードルを移動させるための信号を入力し、
前記確認信号の入力後、前記クレードルを移動させるための信号の入力前に、前記操作者が、前記入力装置に対して、前記予約信号を入力するための操作をしても、前記操作は無効となる、請求項８に記載の放射線断層撮影装置。
【請求項１０】
被検体を支持するクレードルと、
操作者によって操作され、被検体の検査が終了したことを表す信号を入力する入力装置と、
前記被検体の検査の終了後に前記クレードルが移動するように、前記クレードルが移動するタイミングを予約する予約手段であって、前記信号に応答して、前記クレードルを移動させるためのトリガを生成する予約手段と、
を有する、放射線断層撮影装置。
【請求項１１】
操作者によって操作され、放射線断層撮影装置をシャットダウンするための信号を入力する入力装置と、
前記放射線断層撮影装置のシャットダウン前に所定のプロセスが実行されるように、前記所定のプロセスが実行されるタイミングを予約する予約手段であって、前記信号に応答して、前記放射線断層撮影装置のシャットダウン前に前記所定のプロセスを実行するためのトリガを生成する予約手段と、
を有する放射線断層撮影装置。
【請求項１２】
被検体を支持するクレードルを有するテーブルを備え、
前記所定のプロセスは、前記テーブルをホームポジションに戻すことを含む、請求項１１に記載の放射線断層撮影装置。
【請求項１３】
チルト機構を有するガントリを備え、
前記所定のプロセスは、前記ガントリをホームポジションに戻すことを含む、請求項１１又は１２に記載の放射線断層撮影装置。
【請求項１４】
前記所定のプロセスはデータの保存を含む、請求項１１〜１３のうちのいずれか一項に記載の放射線断層撮影装置。
【請求項１５】
操作者によって操作され、放射線断層撮影装置をシャットダウンするための信号を入力する入力装置と、
放射線断層撮影装置で所定のプロセスが実行されている間に、前記放射線断層撮影装置のシャットダウンを実行するための前記信号が入力された場合、前記所定のプロセスが終了した後に前記シャットダウンが実行されるように、前記シャットダウンが実行されるタイミングを予約する予約手段と、
を有する、放射線断層撮影装置。
【請求項１６】
前記所定のプロセスは、前記放射線断層撮影装置で収集されたデータの保存を含む、請求項１５に記載の放射線断層撮影装置。
【請求項１７】
前記所定のプロセスは、画像再構成と画像転送とを含む、請求項１５又は１６に記載の放射線断層撮影装置。
【請求項１８】
前記予約手段は、前記所定のプロセスを実行するためのトリガを生成する、請求項１５〜１７のうちのいずれか一項に記載の放射線断層撮影装置。
【請求項１９】
前記所定のプロセスが実行されている間に、前記放射線断層撮影装置のシャットダウンを実行するための信号が入力された場合、前記シャットダウンの実行を予約するための予約信号を生成する予約信号生成手段を有し、
前記予約手段は、前記予約信号に応答して、前記シャットダウンの実行を予約する、請求項１５〜１８のうちのいずれか一項に記載の放射線断層撮影装置。
【請求項２０】
前記放射線断層撮影装置のガントリが配置されるスキャンルームに人が存在しているか否かを判定する判定手段を有する、請求項１〜１９に記載の放射線断層撮影装置。
【請求項２１】
前記判定手段は、人感センサを用いて、前記スキャンルーム内に人が存在しているか否かを判定する、請求項２０に記載の放射線断層撮影装置。
【請求項２２】
コンピュータを、請求項１〜２１のうちのいずれか一項に記載された放射線断層撮影装置が有する予約手段として機能させるためのプログラム。
【発明の詳細な説明】
【技術分野】
【０００１】
本発明は、放射線源を有する放射線断層撮影装置、および当該放射線断層撮影装置に適用されるプログラムに関する。
【背景技術】
【０００２】
Ｘ線ＣＴ装置は、短いスキャン時間で高品質な画像を得ることができる装置であり、病院などの医療機関では、患者の検査には欠かすことのできない装置になっている。一方で、撮影技師は、ＣＴ装置の動作チェックや患者のスキャンの準備など、様々な作業をしなければならない。しかし、作業と作業との間に待ち時間が発生することがあり、撮影技師が作業を効率的に進めることが難しい場合がある。そこで、撮影技師の待ち時間を有効活用するための技術が開示されている（特許文献１−３参照）。
【先行技術文献】
【特許文献】
【０００３】
【特許文献１】特開平６−３０９１９号公報
【特許文献２】特開２００２−１７７２５８号公報
【特許文献３】特開２００２−１８６６０８号公報
【発明の概要】
【発明が解決しようとする課題】
【０００４】
上記の特許文献では、待ち時間を有効活用することが可能である。一方で、ＣＴ装置では、動作チェックや患者のスキャンの準備など、撮影技師が行わなければならない作業は非常に多く、撮影技師の作業負担を軽減することも重要となる。しかし、近年では、撮影技師の作業も複雑になっており、撮影技師の作業負担を軽減することが難しいという問題がある。
【０００５】
例えば、Ｘ線ＣＴ装置は、Ｘ線管のウォームアップ、キャリブレーション、ファントムスキャン、画質評価などのプロセスが定期的に実行される。病院では、これらのプロセスを実行するために、撮影技師が必要に応じて撮影開始時間（又は検査開始時間）より前に出勤し、これらのプロセスを実行している。
【０００６】
しかし、これらのプロセスの中には、長時間かかるようなプロセスが含まれている場合もあり、この場合、撮影技師は撮影準備に多くの時間をかけることになるので、大きな負担になっている。
【０００７】
また、患者をスキャンする場合にも、操作者は多くの作業をしなければならないので、操作者の作業効率を高めることも要求されている。
【０００８】
また、病院の診察時間中は、できるだけ多くの患者の検査を行うことが望ましいので、患者の検査が終了してから次の患者の検査を開始するまでの待ち時間はできるだけ短くすることが望まれている。しかし、Ｘ線ＣＴ装置の機種によっては、撮影終了後、患者をテーブルから下ろすために、撮影技師がスキャンルームに入ってガントリの操作パネルを操作し、テーブルを所定の位置まで移動させたりする必要があり、撮影技師の作業負担が大きいという問題もある。
【０００９】
また、一日の撮影終了後、Ｘ線ＣＴ装置は必要に応じてシャットダウンされるが、シャットダウンをする前に、患者から収集したデータを保存したり、画像再構成したり、画像をサーバに転送したり、種々のプロセスを実行する必要がある。しかし、これらのプロセスの実行には多くの時間が必要とされており、撮影技師に掛かる作業負担は大きい。
【００１０】
したがって、撮影技師の作業負担を軽減することや、撮影技師が作業を効率的に進めることが可能な技術が望まれている。
【課題を解決するための手段】
【００１１】
本発明の第１の観点は、放射線断層撮影装置のブートアップの終了後に所定のプロセスが実行されるように、前記所定のプロセスが実行されるタイミングを予約する予約手段を有する放射線断層撮影装置である。
【００１２】
本発明の第２の観点は、
操作者によって操作され、放射線断層撮影装置にスキャンを実行させることを予約するための予約信号を入力する入力装置と、
放射線断層撮影装置によるスキャンの準備が実行されている間に前記予約信号が入力された場合、前記スキャンの準備の完了後に前記スキャンが実行されるように、前記スキャンを実行するタイミングを予約する予約手段と、
を有する、放射線断層撮影装置である。
【００１３】
本発明の第３の観点は、
被検体を支持するクレードルと、
操作者によって操作され、被検体の検査が終了したことを表す信号を入力する入力装置と、
前記被検体の検査の終了後に前記クレードルが移動するように、前記クレードルが移動するタイミングを予約する予約手段であって、前記信号に応答して、前記クレードルを移動させるためのトリガを生成する予約手段と、
を有する、放射線断層撮影装置である。
【００１４】
本発明の第４の観点は、
操作者によって操作され、放射線断層撮影装置をシャットダウンするための信号を入力する入力装置と、
前記放射線断層撮影装置のシャットダウン前に所定のプロセスが実行されるように、前記所定のプロセスが実行されるタイミングを予約する予約手段であって、前記信号に応答して、前記放射線断層撮影装置のシャットダウン前に前記所定のプロセスを実行するためのトリガを生成する予約手段と、
を有する放射線断層撮影装置である。
【００１５】
本発明の第５の観点は、
操作者によって操作され、放射線断層撮影装置をシャットダウンするための信号を入力する入力装置と、
放射線断層撮影装置で所定のプロセスが実行されている間に、前記放射線断層撮影装置のシャットダウンを実行するための前記信号が入力された場合、前記所定のプロセスが終了した後に前記シャットダウンが実行されるように、前記シャットダウンが実行されるタイミングを予約する予約手段と、
を有する、放射線断層撮影装置である。
【００１６】
本発明の第６の観点は、コンピュータを、第１の観点〜第５の観点のうちのいずれか一観点に記載された放射線断層撮影装置が有する予約手段として機能させるためのプログラムである。
【発明の効果】
【００１７】
操作者の作業負担を軽減することができる。
【図面の簡単な説明】
【００１８】
【図１】第１の形態に係るＸ線ＣＴ装置１のハードウェアの構成を概略的に示す図である。
【図２】第１の形態に係るＸ線ＣＴ装置の主な機能ブロック図である。
【図３】予約部７１の予約内容の説明図である。
【図４】第１の形態における動作フローの一例である。
【図５】第２の形態において、予約部７１に予約されている予約内容の説明図である。
【図６】第３の形態に係るＸ線ＣＴ装置の主な機能ブロック図である。
【図７】第３の形態において、予約部７１に予約されている予約内容の説明図である。
【図８】第３の形態におけるＸ線ＣＴ装置１の動作フローを示す図である。
【図９】操作者がプロセスを予約する方法の一例の説明図である。
【図１０】第４の形態において、入力装置６１に備えられているスキャン制御インターコムモジュール（ＳＣＩＭ）６５の一例を示す図である。
【図１１】比較例のフローを示す図である。
【図１２】第４の形態のフローを示す図である。
【図１３】予約部７１の予約方法の説明図である。
【図１４】第５の形態において、予約部７１に予約されている予約内容の説明図である。
【図１５】第５の形態におけるＸ線ＣＴ装置１の動作フローを示す図である。
【図１６】第６の形態において、予約部７１に予約されている予約内容の説明図である。
【図１７】第６の形態におけるＸ線ＣＴ装置１の動作フローを示す図である。
【図１８】予約部７１に予約されている予約内容の別の例の説明図である。
【図１９】第７の形態に係るＸ線ＣＴ装置の主な機能ブロック図である。
【図２０】第７の形態におけるＸ線ＣＴ装置１の動作フローを示す図である。
【図２１】ステップＳ５の説明図である。
【発明を実施するための形態】
【００１９】
以下、発明を実施するための形態について説明するが、本発明は、以下の形態に限定されることはない。
【００２０】
（第１の形態）
図１は、第１の形態に係るＸ線ＣＴ装置１のハードウェアの構成を概略的に示す図である。
【００２１】
ガントリ２はスキャンルーム２０に配置されている。ガントリ２は、Ｘ線管２１、アパーチャ（aperture）２２、コリメータ装置（collimator device）２３、Ｘ線検出器２４、データ収集部（data acquisition system）２５、回転部２６、高電圧電源２７、アパーチャ駆動装置２８、回転駆動装置２９、制御部３０を有している。
【００２２】
回転部２６は回転可能に支持されている。Ｘ線管２１、アパーチャ２２、コリメータ装置２３、Ｘ線検出器２４、およびデータ収集部２５は、回転部２６に搭載されている。
【００２３】
Ｘ線管２１及びＸ線検出器２４は、被検体５が載置される撮影空間、すなわちガントリ２の空洞部２Ｂを挟んで互いに対向して配置されている。
【００２４】
アパーチャ２２は、Ｘ線管２１と空洞部２Ｂとの間に配置されている。アパーチャ２２は、Ｘ線管２１のＸ線焦点からＸ線検出器２４に向けて放射されるＸ線をファンビーム（fan beam）やコーンビーム（cone beam）に成形する。
【００２５】
コリメータ装置２３は、空洞部２ＢとＸ線検出器２４との間に配置されている。コリメータ装置２３は、Ｘ線検出器２４に入射する散乱線を除去する。
【００２６】
Ｘ線検出器２４は、Ｘ線管２１から放射される扇状のＸ線ビームの広がり方向および厚み方向に、２次元的に配列された複数のＸ線検出素子を有している。各Ｘ線検出素子は、空洞部２Ｂに配された被検体５の透過Ｘ線をそれぞれ検出し、その強度に応じた電気信号を出力する。
【００２７】
データ収集部２５は、Ｘ線検出器２４の各Ｘ線検出素子から出力される電気信号を受信し、Ｘ線データに変換して収集する。
【００２８】
撮影テーブル４は、クレードル（cradle）４１および駆動装置４２を有している。被検体５は、クレードル４１の上に載置される。駆動装置４２は、クレードル４１がｙ方向に昇降するようにクレードル４１を駆動し、更に、クレードル４１がｚ方向に移動するように、クレードル４１を駆動する。
【００２９】
高電圧電源２７は、Ｘ線管２１に高電圧及び電流を供給する。
アパーチャ駆動装置２８はアパーチャ２２を駆動しその開口を変形させる。
回転駆動装置２９は回転部２６を回転駆動する。
制御部３０は、ガントリ２内の各装置・各部、および駆動装置４２等を制御する。
【００３０】
人感センサ５１は、スキャンルーム２０内に人が存在している場合、当該人を検出するセンサである。人感センサ５１は判定手段の一例である。
【００３１】
操作コンソール６は、操作者からの各種操作を受け付ける。操作コンソール６は、入力装置６１、表示装置６２、記憶装置６３、及び演算処理装置６４を有している。
【００３２】
なお、ここでは、図１に示すように、被検体５の体軸方向、すなわち撮影テーブル４による被検体５の搬送方向をｚ方向とする。また、鉛直方向をｙ方向、ｙ方向およびｚ方向に直交する水平方向をｘ方向とする。
【００３３】
図２は、第１の形態に係るＸ線ＣＴ装置の主な機能ブロック図（block diagram）である。尚、実際には、Ｘ線ＣＴ装置は、多数の機能ブロックを有しているが、ここでは、第１の形態の説明に必要な機能ブロックのみが示されている。
【００３４】
第１の形態において、Ｘ線ＣＴ装置は、主な機能ブロックとして予約部７１を有している。予約部７１は、所定のプロセスの実行されるタイミングを予約する。
【００３５】
図３は、予約部７１の予約内容の説明図である。第１の形態では、予約部７１は、実行されるプロセスとして、「Ｘ線管のウォームアップ」を予約しており、実行されるタイミングとして、「Ｘ線ＣＴ装置のブートアップ終了後」を予約している。したがって、予約部７１は、「Ｘ線ＣＴ装置のブートアップ終了後にＸ線管のウォームアップが実行されること」を予約している。
尚、予約部７１は予約手段の一例である。
【００３６】
各機能ブロックを実行させるためのプログラムは、操作コンソール６の記憶装置６３、ガントリ２内の記憶装置、およびテーブル４内の記憶装置のうちの少なくともいずれか一つの記憶装置に記憶させておくことができる。ガントリ２、テーブル４、および操作コンソール６は、記憶装置に記憶されたプログラムを実行するためのコンピュータ(computer)としての役割も有しており、当該コンピュータは、記憶装置に記憶されたプログラムを実行することにより、各機能ブロックとして機能する。尚、プログラムの少なくとも一部を、操作コンソール６に外部接続された記憶装置又は記憶媒体９０（図１参照）に記憶させることも可能である。図２に示す機能の詳細は、Ｘ線ＣＴ装置における処理の流れを説明する際に併せて説明する。
【００３７】
図４は、第１の形態における動作フローの一例である。
尚、図４のフローが実行される前は、Ｘ線ＣＴ装置１はシャットダウンされた状態であるとする。また、Ｘ線ＣＴ装置がシャットダウンされた状態は、操作コンソール６およびガントリ２の両方がシャットダウンされた状態だけでなく、操作コンソール６はシャットダウンされているが、ガントリ２はシャットダウンされていない状態も含むものとする。また、Ｘ線ＣＴ装置がシャットダウンされた状態は、操作コンソール６およびガントリ２の一部はシャットダウンされているが、ガントリ２の他の部分はシャットダウンされていない状態や、操作コンソール６の一部およびガントリ２がシャットダウンされているが、操作コンソール６の他の部分はシャットダウンされていない状態も含むものとする。更に、Ｘ線ＣＴ装置がシャットダウンされた状態は、操作コンソール６の一部およびガントリ２の一部はシャットダウンされているが、操作コンソール６の他の部分およびガントリ２の他の部分はシャットダウンされていない状態も含むものとする。
【００３８】
ステップＳ１０では、Ｘ線ＣＴ装置１のブートアップが実行される。Ｘ線ＣＴ装置１をブートアップする場合、操作者がＸ線ＣＴ装置１のブートアップを開始するために必要な情報を手入力してもよいし、Ｘ線ＣＴ装置１のブートアップの開始時刻を予め設定しておき、設定された時刻に到達したらＸ線ＣＴ装置１のブートアップが自動的に開始されるようにしてもよい。
Ｘ線ＣＴ装置１のブートアップが終了したらステップＳ２０に進む。
【００３９】
ステップＳ２０では、スキャンルーム２０に人が存在しているか否かが判定される。人感センサ５１が人を検出した場合、スキャンルーム２０に人が存在していると判定され、ステップＳ３０に進み、スキャンルーム２０に人が存在していることが報知される。一方、人感センサ５１が人を検出していない場合、スキャンルーム２０に人が存在していないと判定され、ステップＳ４０に進む。
【００４０】
ステップＳ４０では、予約部７１で予約された内容が実行される。以下に、予約内容を実行する手順について説明する。
【００４１】
予約部７１は予約内容を確認する。第１の形態では、予約部７１は、実行されるプロセスとして、「Ｘ線管のウォームアップ」を予約しており、実行されるタイミングとして、「Ｘ線ＣＴ装置のブートアップ終了後」を予約している。Ｘ線ＣＴ装置のブートアップは終了しているので（ステップＳ１０）、実行されるタイミングの条件は満たされている。したがって、予約部７１は、Ｘ線ＣＴ装置のブートアップ終了後にＸ線管のウォームアップを実行するためのトリガを生成する。
【００４２】
トリガが生成されたら、トリガに応答して、予約部７１で予約された所定のプロセス「Ｘ線管のウォームアップ」が実行される。そして、Ｘ線管のウォームアップが終了したら、フローが終了する。
【００４３】
第１の形態では、Ｘ線ＣＴ装置１のブートアップの終了後、予約部７１で予約された内容が自動的に実行される。したがって、操作者は、Ｘ線ＣＴ装置１のブートアップが終了した後、Ｘ線管のウォームアップを実行するための命令を入力する操作をする必要が無いので、操作者の作業負担を軽減することができる。
【００４４】
また、第１の形態では、ブートアップ後にＸ線管のウォームアップが実行される。Ｘ線管のウォームアップはＸ線の照射を伴うので、人体への不要な被曝を回避する観点から、スキャンルーム２０に人が存在していないことが確認された上で、Ｘ線管のウォームアップを実行することが重要となる。そこで、第１の形態では、ブートアップが終了した後、Ｘ線管のウォームアップを開始する前に、人感センサ５１を用いてスキャンルーム２０内に人が存在しているか否かを判定している（ステップＳ２０）。スキャンルーム２０内に人が存在している場合には、人が存在していることが報知され（ステップＳ３０）、Ｘ線管のウォームアップは実行されないので、人体への不要な被曝を回避することができる。そして、スキャンルーム２０内に人が存在していないことが確認された場合にＸ線管のウォームアップが実行される。したがって、操作者がスキャンルーム２０に人が存在しているか否かを確認しなくても、人体への不要な被曝が確実に回避されるという安全性を確保した上で、Ｘ線管のウォームアップを実行することができる。更に、操作者によるスキャンルーム２０内の確認作業が省略されるので、操作者の作業負担を軽減することもできる。
【００４５】
（第２の形態）
第１の形態では、Ｘ線管のウォームアップが予約された例について説明されている。第２の形態では、キャリブレーションが予約された例について説明する。
【００４６】
図５は、第２の形態において、予約部７１に予約されている予約内容の説明図である。
【００４７】
第２の形態では、予約部７１は、実行されるプロセスとして、「キャリブレーション」を予約しており、実行されるタイミングとして、「Ｘ線ＣＴ装置のブートアップ終了後」を予約している。したがって、予約部７１は、「Ｘ線ＣＴ装置のブートアップ終了後にキャリブレーションを実行すること」を予約している。
【００４８】
以下に、第２の形態について、第１の形態と同様に図４に示すフローを参照しながら説明する。尚、図４のフローが実行される前は、Ｘ線ＣＴ装置１はシャットダウンされた状態である。
【００４９】
ステップＳ１０−Ｓ３０は、第１の形態と同じであるので説明は省略する。ステップＳ２０において、スキャンルーム２０内に人が存在していないと判定されたらステップＳ４０に進む。
【００５０】
ステップＳ４０では、予約部７１で予約された内容が実行される。以下に、予約内容を実行する手順について説明する。
【００５１】
予約部７１は予約内容を確認する。第２の形態では、予約部７１は、実行されるプロセスとして、「キャリブレーション」を予約しており、実行されるタイミングとして、「Ｘ線ＣＴ装置のブートアップ終了後」を予約している。Ｘ線ＣＴ装置のブートアップは終了しているので（ステップＳ１０）、実行されるタイミングの条件は満たされている。したがって、予約部７１は、Ｘ線ＣＴ装置１のブートアップの終了後にキャリブレーションを実行するためのトリガを生成する。
【００５２】
トリガが生成されたら、トリガに応答して、予約部７１で予約された所定のプロセスである「キャリブレーション」が実行される。そして、キャリブレーションが終了したら、フローが終了する。
【００５３】
第２の形態では、Ｘ線ＣＴ装置１のブートアップの終了に応答して、キャリブレーションが実行される。したがって、操作者は、Ｘ線ＣＴ装置１がブートアップした後、キャリブレーションを開始するための命令を入力する操作をする必要が無いので、操作者の作業負担を軽減することができる。
【００５４】
尚、キャリブレーションはＸ線の照射を伴うので、人体への不要な被曝を回避する観点から、スキャンルーム２０に人が存在していないことが確認された上で、Ｘ線管のウォームアップを実行することが重要となる。そこで、第２の形態では、第１の形態と同様に、ブートアップが終了した後、スキャンルーム２０内に人が存在しているか否かが判定され（ステップＳ２０）、スキャンルーム２０内に人が存在していないことが確認された場合にキャリブレーションが実行される。したがって、人体への不要な被曝が確実に回避されるという安全性を確保した上で、キャリブレーションを実行することができる。更に、操作者によるスキャンルーム２０内の確認作業が省略されるので、操作者の作業負担を軽減することもできる。
【００５５】
また、キャリブレーションを実行する場合、Ｘ線検出器２４の温度は所定温度を超えている必要がある。したがって、Ｘ線検出器２４の温度が所定温度を超えていない場合には、キャリブレーションを実行するためのトリガは生成されず、Ｘ線検出器２４の温度が所定温度を超えてから、キャリブレーションを実行するためのトリガが生成されるようにすることが望ましい。
【００５６】
（第３の形態）
第３の形態では、キャリブレーションの他に、ファントムスキャンおよび画質評価を実行する例について説明する。
【００５７】
図６は、第３の形態に係るＸ線ＣＴ装置の主な機能ブロック図である。
第３の形態は、機能ブロックとして、予約部７１、再構成部７２、画質評価部７３、および表示制御部７４を有している。
【００５８】
図７は、第３の形態において、予約部７１に予約されている予約内容の説明図である。
第３の形態では、予約部７１は、実行されるプロセスとして、「キャリブレーション、ファントムスキャン、および画質評価」を予約しており、実行されるタイミングとして、「Ｘ線ＣＴ装置のブートアップ終了後」を予約している。したがって、予約部７１は、「Ｘ線ＣＴ装置のブートアップ終了後に、キャリブレーション、ファントムスキャン、および画質評価を実行すること」を予約している。
【００５９】
図６に戻って説明を続ける。
再構成部７２は、データ収集部２５により収集されたデータに基づいて、画像を再構成する。
画質評価部７３は、再構成部７２により再構成された画像に基づいて、画質の評価を行う。
表示制御部７４は、必要に応じて種々の画像や情報を画面に表示するよう、表示装置６２を制御する。本例では、表示制御部７４は、画質評価部７３により得られた評価結果を、表示装置６２の画面に表示させる。
【００６０】
以下に、第３の形態について、図８に示すフローを参照しながら説明する。尚、図８のフローが実行される前は、Ｘ線ＣＴ装置１はシャットダウンされた状態である。
【００６１】
ステップＳ０では、操作者が、クレードル４１の先端にファントムホルダを取り付け、ファントムホルダにファントムを設置する（図示せず）。このファントムは、後述するステップＳ４０のファントムスキャンで使用されるファントムである。尚、第３の形態では、Ｘ線ＣＴ装置１がシャットダウンされた状態で、ファントムの設置作業が行われているが、ファントムの設置作業を行った後で、Ｘ線ＣＴ装置１をシャットダウンしてもよい。
【００６２】
ステップＳ１０では、Ｘ線ＣＴ装置１のブートアップが実行される。Ｘ線ＣＴ装置１のブートアップが終了したらステップＳ２０に進む。
【００６３】
ステップＳ２０では、スキャンルーム２０に人が存在しているか否かが確認される。スキャンルーム２０に人が存在している場合は、ステップＳ３０に進み、スキャンルーム２０に人が存在していることを報知する。一方、スキャンルーム２０に人が存在していないと判定した場合は、ステップＳ４０に進む。
【００６４】
ステップＳ４０では、予約部７１で予約された内容が実行される。以下に、予約内容を実行する手順について説明する。
【００６５】
予約部７１は予約内容を確認する。第３の形態では、予約部７１は、実行されるプロセスとして、「キャリブレーション、ファントムスキャン、および画質評価」を予約しており、実行されるタイミングとして、「Ｘ線ＣＴ装置のブートアップ終了後」を予約している。Ｘ線ＣＴ装置のブートアップは終了しているので（ステップＳ１０）、実行されるタイミングの条件は満たされている。したがって、予約部７１は、Ｘ線ＣＴ装置１のブートアップの終了後に、キャリブレーション、ファントムスキャン、および画質評価を含む一連のプロセスを実行するためのトリガを生成する。
【００６６】
このトリガが生成されると、キャリブレーションが実行される。キャリブレーションが実行された後、ファントムスキャンが実行される。ファントムスキャンを実行する場合、ファントムホルダに設置されたファントム（図示せず）が、ファントムスキャンに適した位置に搬送されるように、テーブル４が駆動する。ファントムが所定の位置に搬送されたら、ファントムスキャンが開始される。ファントムスキャンが開始されると、Ｘ線管２１からＸ線が照射される。Ｘ線検出器２４は、ファントムの透過Ｘ線をそれぞれ検出し、その強度に応じた電気信号を出力する。データ収集部２５は、Ｘ線検出器２４の各Ｘ線検出素子から出力される電気信号を受信し、Ｘ線データに変換して収集する。そして、再構成部７２は、収集されたＸ線データに基づいて画像を再構成する。画質評価部７３は画像の画質を評価する。画質評価は、例えば、画像の特徴量（例えば、画素値、画素値の標準偏差）と、操作者が予め定義した閾値とを比較し、その比較結果に基づいて行うことができる。画質評価の結果は、記憶装置６３に記憶される。ファントムスキャン及び画質評価のプロセスが終了した後、ステップＳ５０に進む。
【００６７】
ステップＳ５０では、操作者から評価結果の表示要求があった場合、表示制御部７４が表示装置６２に評価結果を表示させる。このようにしてフローが終了する。
【００６８】
第３の形態では、Ｘ線ＣＴ装置１のブートアップが終了した後、キャリブレーションと、ファントムスキャン、および画質評価の一連のプロセスを実行することができる。したがって、Ｘ線ＣＴ装置のブートアップが終了した後、操作者が、キャリブレーション、ファントムスキャン、および画質評価を実行するための命令を入力する操作をしなくても、これらの一連のプロセスが実行されるので、操作者の作業負担を軽減することができる。
【００６９】
また、第３の形態では、第１および第２の形態と同様に、ブートアップが終了した後、スキャンルーム２０内に人が存在しているか否かが判定され（ステップＳ２０）、スキャンルーム２０内に人が存在していないことが確認された場合に、予約された一連のプロセスが実行される。したがって、人体への不要な被曝が確実に回避されるという安全性を確保した上で、一連のプロセスを実行することができる。更に、操作者によるスキャンルーム２０内の確認作業が省略されるので、操作者の作業負担を軽減することもできる。
【００７０】
尚、第１〜第３の形態では、Ｘ線ＣＴ装置１のブートアップが終了した後に、予約部７１で予約されているプロセスが実行されている。しかし、Ｘ線ＣＴ装置のブートアップを、ガントリ２（図１参照）のブートアップと操作コンソール６（図１参照）のブートアップとに分けて考え、予約されているプロセスを実行してもよい。例えば、ガントリ２のブートアップが終了していれば実行可能なプロセスについては、操作コンソール６のブートアップが終了したか否かに関わらず、ガントリ２のブートアップが終了したら、予約されているプロセスを実行してもよい。同様に、操作コンソール６のブートアップが終了していれば実行可能なプロセスについては、ガントリ２のブートアップが終了したか否かに関わらず、操作コンソール６のブートアップが終了したら、予約されているプロセスを実行してもよい。
【００７１】
尚、第１〜第３の形態では、人感センサ５１を用いてスキャンルーム２０に人が存在しているか否かを判定している。しかし、スキャンルーム２０のドアにドアの開閉を検出するドアセンサをつけておき、ドアの開閉の有無に基づいて、スキャンルーム２０に人が存在しているか否かを判定してもよい。また、人感センサ５１とドアセンサとを併用し、スキャンルーム２０に人が存在しているか否かを判定してもよい。更に、人感センサやドアセンサの代わりに、スキャンルーム２０内の画像を取得するカメラと、カメラで取得された画像を解析する画像解析部とを備え、画像解析部の解析結果に基づいて、スキャンルーム２０内に人が存在しているか否かを判定してもよい。
【００７２】
第１〜第３の形態では、ブートアップ終了後に実行されるプロセスについて説明されている。しかし、予約部７１に、ブートアップ終了後とは別のタイミングで実行されるプロセスであって、スキャンルーム内に人が存在していないときに実行されるべきプロセスを予約しておき、スキャンルーム内に人が存在していないことが確認できたら、当該プロセスを実行するようにしてもよい。
【００７３】
また、予約部７１に予約されるプロセスは、必要に応じて、操作者が任意に設定できるようにしてもよい。以下に、操作者がプロセスを予約する方法の一例について、図９を参照しながら説明する。
【００７４】
図９は、表示装置６２に表示された予約可能なプロセス１〜Ｎを示す図である。操作者は、Ｘ線ＣＴ装置１をシャットダウンする前に、プロセス１〜Ｎの中から、Ｘ線ＣＴ装置１のブートアップの終了後に実行したいと考えるプロセスを予約する。図９では、プロセス２および３を予約する例が示されている。操作者は、入力装置６１を介して、Ｘ線ＣＴ装置１のブートアップの終了後にプロセス２および３を実行するために必要な情報を入力する。この情報が入力されると、予約部７１は、実行されるプロセスとして「プロセス１」および「プロセス２」を予約するとともに、実行されるタイミングとして、「Ｘ線ＣＴ装置１のブートアップの終了後」を予約する。したがって、操作者は、Ｘ線ＣＴ装置１をシャットダウンする前に、実行されるプロセスとタイミングを予約部７１に予約させることができるので、ブートアップの終了後に、操作者の好みに合ったプロセスを実行させることが可能となる。
【００７５】
（第４の形態）
第４の形態では、スキャンの準備が完了した後に被検体のスキャンが自動的に実行されるように、スキャンが実行されるタイミングを予約する例について説明する。
図１０は、第４の形態において、入力装置６１に備えられているスキャン制御インターコムモジュール（ＳＣＩＭ）６５の一例を示す図である。
【００７６】
インターコムモジュール６５は、各種ボタンを備えている。ボタンＡは、クレードル４１をスキャン開始用の所定位置に移動させるための［Move to Scan］ボタンである。［Move to Scan］ボタンＡが押されると、クレードル４１は所定位置まで移動する。
【００７７】
ボタンＢは、スキャンを開始するための［Start Scan］ボタンであり、［Start Scan］ボタンＢが押されると、スキャンが開始される。
【００７８】
以下、第４の形態において、被検体のスキャンの準備をし、スキャンの準備が完了した後でスキャンを実行するフローについて説明する。尚、第４の形態の説明にあたっては、第４の形態の効果を理解しやすくするために、比較例として、第４の形態とは別の方法でスキャンを実行するフローについて先に説明する。そして、比較例のフローを説明した後で、第４の形態のフローを説明する。
【００７９】
図１１は比較例のフローを示す図である。
ステップＳ１では、操作者が入力装置６１を介してスキャン条件を設定するための種々の情報を入力する。演算処理装置６４は、必要に応じて、入力された情報に基づいて、スキャン条件に含まれる様々な値（例えば、管電流、管電圧など）を計算する。操作者は、スキャン条件が求まったら、スキャン条件を表示装置６２に表示させ、このスキャン条件を確認する。操作者は、スキャン条件を変更したい場合は、スキャン条件を設定するための種々の情報を再度入力する。一方、スキャン条件に変更が無い場合は、操作者は、入力装置６１を用いて、表示装置６２に表示された確認ボタン（図示せず）をクリックする。この確認ボタンがクリックされると、入力装置６１は、スキャン条件が確認されたことを表す確認（confirm）信号を入力する。そして、ステップＳ２に進む。
【００８０】
ステップＳ２では、スキャンの準備が実行される。ここでは、ステップＳ２を、ステップＳ２１、Ｓ２２、およびＳ２３の３つのステップに分けて説明する。
【００８１】
ステップＳ２１では、ステップＳ１で生成した確認信号に応答して、ガントリの各部の準備動作（回転部の回転など）が実行される。
【００８２】
一方、操作者は、ステップＳ１で確認ボタンをクリックした後、ステップＳ３において、[Move to Scan]ボタンＡを押す。[Move to Scan]ボタンＡが押されると、インターコムモジュール６５から、クレードル４１の移動を実行するための信号が入力される。インターコムモジュール６５から、当該信号が入力されると、この信号に応答して、被検体を乗せたクレードル４１が移動を開始し（ステップＳ２２）、クレードル４１が所定位置に到達したら、クレードル４１の移動が終了する（ステップＳ２３）。そして、ステップＳ２においてスキャンの準備（ガントリの各部の準備動作、クレードル４１の移動など）が完了したら、ステップＳ４に進む。
【００８３】
ステップＳ４では、操作者に、スキャンの準備が終了したことが報知される。スキャンの準備が終了したことを報知する方法としては、例えば、［Start Scan］ボタンＢをブリンクさせる方法などが考えられる。この報知によって、操作者は、スキャンの準備が終了したことを認識することができる。
【００８４】
ステップＳ５では、操作者は、この報知を認識した後、［Start Scan］ボタンＢを押す。［Start Scan］ボタンＢが押されると、インターコムモジュール６５から、スキャンを実行するための命令が入力され、ステップＳ６に進み、スキャンが実行される。
【００８５】
上記のフローでは、[Move to Scan]ボタンＡを押してからステップＳ２のプロセスが終了するまでは、操作者が[Start Scan]ボタンＢを押してもＸ線が照射されないように、[Start Scan]ボタンＢの機能はＯＦＦ状態に設定されている。したがって、スキャンの準備が完了する前に操作者が[Start Scan]ボタンＢを押しても、Ｘ線が照射されないようにすることができる。
【００８６】
しかし、上記のフローでは、[Move to Scan]ボタンＡを押してからスキャンの準備が完了するまでの時間Ｔｗは、スキャンを開始することができない。したがって、この時間Ｔｗは、操作者にとってはスキャンの開始を待たなければならない待ち時間となる。
【００８７】
そこで、操作者は、この時間Ｔｗを有効利用するために、別の作業を行うことがある。しかし、時間Ｔｗの間に、当該別の作業を開始すると、スキャンの準備の終了が報知される前に、当該別の作業を終えることができない場合がある。この場合、スキャンの準備が完了しているのにも関わらず、操作者は直ぐには［Start Scan］ボタンＢをクリックすることができず、結果として、スキャンの開始が遅れてしまう恐れがある。
【００８８】
そこで、第４の形態では、上記の問題を解消するために、スキャンの準備が完了したら、直ちにスキャンが開始できるように工夫されている。以下に、第４の形態におけるフローについて説明する。
【００８９】
図１２は第４の形態のフローを示す図である。
図１２に示すフローは、図１１に示すフローと比較すると、ステップＳ２４およびステップＳ２５が加えられている点が異なっている。以下、図１２のフローについて説明する。尚、ステップＳ１、Ｓ２、およびＳ３は、比較例のフローのステップＳ１、Ｓ２、およびＳ３と同じであるので、ステップＳ１、Ｓ２、およびＳ３の説明は省略する。
【００９０】
ステップＳ２４では、操作者が、ステップＳ２の実行中に、スキャンの実行を予約する。第４の形態では、クレードル４１の移動が開始してから（ステップＳ２２）、クレードル４１の移動が終了するまで（ステップＳ２３）の間に、スキャンの実行が予約されている。予約の方法としては、操作者が、例えば、インターコムモジュール６５に対して所定の操作を実行する（例えば、[Start Scan]ボタンＢを長押しする、[Start Scan]ボタンＢを連続して２回連打する）ことが考えられる。操作者が、インターコムモジュール６５に対して、スキャンの実行を予約するための必要な操作を実行すると、インターコムモジュール６５は、スキャンの実行を予約するための予約信号を入力する。この予約信号が入力されると、予約部７１は、図１３に示すように、実行されるプロセスとして「スキャン」を予約し、実行されるタイミングとして「スキャンの準備が完了した後」を予約する。したがって、予約部７１には、「スキャンの準備が完了した後にスキャンが実行される」ことが予約される。
ステップＳ２が終了したら、ステップＳ２５に進む。
【００９１】
ステップＳ２５では、予約部７１が、ステップＳ２の間にスキャンの実行が予約されたか否かを確認する。スキャンの実行が予約されていない場合は、比較例のフローと同様に、ステップＳ４、ステップＳ５、およびステップＳ６が順に実行されフローが終了する。
【００９２】
一方、スキャンの実行が予約された場合、ステップＳ４およびステップＳ５をスキップして、ステップＳ６に進み、スキャンが実行される。図１２のフローでは、ステップＳ２の実行中に、予約部７１に「スキャンの準備が完了した後にスキャンが実行される」ことが予約されているので、ステップＳ２５から、スキップＳ４およびＳ５がスキップされ、ステップＳ６に進み、スキャンが実行される。
このようにして、フローが終了する。
【００９３】
第４の形態では、スキャンの準備が完了する前に、操作者がスキャンの実行を予約するだけで（ステップＳ２４）、スキャンの準備が完了したら、自動的にスキャンが実行される。したがって、操作者は、予約の操作をした後は、スキャンの準備が完了したか否かを気にせずに、別の作業を行うことができるので、予約を終了してからスキャンの準備が完了するまでの時間Ｔｗ’を有効活用することができる。このため、操作者は作業を効率的に進めることができる。
【００９４】
尚、第４の形態において、［Move to Scan］ボタンＡが押される前にスキャンが予約されないようにするため、［Move to Scan］ボタンＡが押されるまでは、操作者が入力装置６１に対してスキャンを予約するための操作をしても、当該操作が無効になるようにしもてもよい。［Move to Scan］ボタンＡが押されるまではスキャンを予約するための操作を無効にすることにより、クレードル４１が移動していない場合にはスキャンの実行が予約されないので、被検体への不要な被曝を回避することができる。
【００９５】
また、第４の形態では、操作者は、ステップＳ１においてスキャン条件の確認ボタンをクリックした後、ステップＳ３においてクレードル４１を移動させるための［Move to Scan］ボタンＡを押している。しかし、ステップＳ３を省略し、ステップＳ１においてスキャン条件の確認ボタンがクリックされたら、［Move to Scan］ボタンＡが押されなくてもクレードル４１が移動するようにしてもよい。この場合、操作者による［Move to Scan］ボタンＡを押す操作が省略されるので、操作者の作業負担を軽減することができる。
【００９６】
尚、第４の形態は、造影撮影および非造影撮影の両方の撮影に対して適用することができる。
【００９７】
（第５の形態）
第５の形態では、被検体のスキャンが終了した後に、被検体をボアから搬出する例について説明する。
【００９８】
図１４は、第５の形態において、予約部７１に予約されている予約内容の説明図である。
第５の形態では、予約部７１は、実行されるプロセスとして、「クレードルの移動」を予約しており、実行されるタイミングとして、「[End Exam]ボタンがクリックされた後（検査の終了を表すエンドイグザム信号が入力された後）」を予約している。したがって、予約部７１は、「[End Exam]ボタンがクリックされた後（検査の終了を表すエンドイグザム信号が入力された後）にクレードルを移動すること」を予約している。尚、[End Exam]ボタンについては後述する。
【００９９】
以下、第５の形態において、予約部７１に予約されているプロセスを実行する手順について、図１５のフローを参照しながら説明する。
【０１００】
ステップＳ１では、被検体のスキャンを実行する。被検体のスキャンを終了した後、ステップＳ２に進む。
【０１０１】
ステップＳ２では、操作者は表示画面に［End Exam］ボタンを表示させる（図示せず）。[End Exam]ボタンは、被検体の検査が終了したことを登録するためのボタンである。操作者は、表示させた［End Exam］ボタンをクリックする。このボタンがクリックされると、入力装置６１は、被検体の検査が終了したことを表すエンドイグザム信号を入力する。
【０１０２】
ステップＳ３では、予約部７１で予約された内容が実行される。以下に、予約内容を実行する手順について説明する。
【０１０３】
予約部７１は予約内容を確認する。第５の形態では、予約部７１は、実行されるプロセスとして、「クレードルの移動」を予約しており、実行されるタイミングとして、「［End Exam］ボタンがクリックされた後（検査の終了を表すエンドイグザム信号が入力された後）」を予約している。ステップＳ２において［End Exam］ボタンは既にクリックされている、即ち、検査の終了を表すエンドイグザム信号は入力されているので、実行されるタイミングの条件は満たされている。したがって、予約部７１は、［End Exam］ボタンがクリックされた後（検査の終了を表すエンドイグザム信号が入力された後）にクレードル４１を移動させるためのトリガを生成する。このトリガが生成されると、クレードル４１がガントリから搬出される。したがって、被検体をガントリから搬出することができる。
このようにしてフローが終了する。
【０１０４】
第５の形態では、［End Exam］ボタンをクリックすると、自動的にクレードル４１が移動する。したがって、操作者は、被検体をボアから搬出するために、スキャンルーム２０に入ってガントリ上の操作パネルを操作したり、入力装置６１から被検体を搬出するための命令を入力する操作をしなくても、被検体をボアから搬出することができるので、操作者の作業負担を軽減することができる。
尚、クレードルの移動とは別のプロセスが実行されるようにしてもよい。
【０１０５】
（第６の形態）
第６の形態では、Ｘ線ＣＴ装置１のシャットダウン時に所定のプロセスを実行する例について説明する。
【０１０６】
図１６は、第６の形態において、予約部７１に予約されている予約内容の説明図である。
第６の形態では、予約部７１は、実行されるプロセスとして、「テーブルをホームポジションに戻すこと」を予約しており、実行されるタイミングとして、「[Auto Shutdown]ボタンがクリックされた後（シャットダウンを実行することを表すシャットダウン信号が入力された後）」を予約している。したがって、予約部７１は、「[Auto Shutdown]ボタンがクリックされた後（シャットダウンを実行することを表すシャットダウン信号が入力された後）にテーブルをホームポジションに戻すこと」を予約している。
【０１０７】
以下、第６の形態において、予約部７１に予約されているプロセスを実行する手順について、図１７のフローを参照しながら説明する。
【０１０８】
ステップＳ１では、操作者は表示画面に［Auto Shutdown］ボタンを表示させる（図示せず）。[Auto Shutdown]ボタンは、Ｘ線ＣＴ装置１をシャットダウンするためのボタンである。操作者は、入力装置６１を操作し、表示させた［Auto Shutdown］ボタンをクリックする。このボタンがクリックされると、入力装置６１は、Ｘ線ＣＴ装置１のシャットダウンを実行することを表すシャットダウン信号を入力する。
【０１０９】
ステップＳ２では、予約部７１で予約された内容が実行される。以下に、予約内容を実行する手順について説明する。
【０１１０】
先ず、予約部７１が予約内容を確認する。第６の形態では、予約部７１は、実行されるプロセスとして、「テーブルをホームポジションに戻すこと」を予約しており、実行されるタイミングとして、「［Auto Shutdown］ボタンがクリックされた後（シャットダウンを実行することを表すシャットダウン信号が入力された後）」を予約している。ステップＳ１において［Auto Shutdown］ボタンは既にクリックされている、即ち、シャットダウンを実行することを表すシャットダウン信号は入力されているので、実行されるタイミングの条件は満たされている。したがって、予約部７１は、［Auto Shutdown］ボタンがクリックされた後（シャットダウン信号が入力された後）、テーブルをホームポジションに戻すためのトリガを生成する。このトリガが生成されると、駆動装置４２は、テーブル４がホームポジションに戻るようにテーブル４を駆動する。テーブル４がホームポジションに戻った後、ステップＳ３に進み、シャットダウンが実行される。
【０１１１】
尚、Ｘ線ＣＴ装置は、シャットダウンを行う場合、操作コンソール６をシャットダウンさせるが、ガントリ２はシャットダウンさせないモードで、シャットダウンを行ってもよいし、操作コンソール６をシャットダウンさせ、ガントリ２内の一部分のみをシャットダウンさせるモードで、シャットダウンを行ってもよい。更に、Ｘ線ＣＴ装置は、操作コンソール６およびガントリ２の両方をシャットダウンしてもよい。
このようにしてフローが終了する。
【０１１２】
第６の形態では、シャットダウン時にテーブル４がホームポジションに位置していない場合は、テーブル４がホームポジションに戻った後でシャットダウンを実行することができる。したがって、操作者は、テーブル４をホームポジションに戻すための操作を行う必要が無いので、操作者の作業負担を軽減することができる。
【０１１３】
尚、第６の形態では、予約部７１に、テーブル４をホームポジションに戻すプロセスが予約されている例について説明されている。しかし、他のプロセスを予約してもよい。図１８は、テーブルをホームポジションに戻すプロセスの他に、データ保存およびキャリブレーションが予約されている例を示す。このように、予約部７１に複数のプロセスを予約しておくことにより、複数のプロセスが実行された後で、Ｘ線ＣＴ装置１のシャットダウンを行うことができる。尚、キャリブレーションは、Ｘ線が照射されるプロセスを含んでいる。したがって、キャリブレーションが予約されている場合には、キャリブレーションを開始する前に、人感センサ５１などを用いてスキャンルーム２０に人が存在しているか否かを判定するステップを追加しておくことが必要である。尚、Ｘ線ＣＴ装置１のガントリ２がチルト機構を備えている場合は、Ｘ線ＣＴ装置１のシャットダウン時にガントリをホームポジションに戻すプロセスを予約することも可能である。
【０１１４】
尚、操作者が、シャットダウン時に実行されるプロセスを任意に設定できるようにしてもよい。
【０１１５】
（第７の形態）
第７の形態では、Ｘ線ＣＴ装置１が所定のプロセスを実行している途中で、[Auto Shutdown]ボタンがクリックされた例について説明する。ここでは、所定のプロセスとして、「データの保存」を取り上げ、データの保存が実行されている途中で、[Auto Shutdown]ボタンがクリックされた例について説明する。
【０１１６】
図１９は、第７の形態に係るＸ線ＣＴ装置の主な機能ブロック図である。
第７の形態は、主な機能ブロックとして、予約部７１、データ保存部７５、および予約信号生成部７６を有している。
【０１１７】
予約部７１は、シャットダウンが実行されるタイミングを予約する。予約部７１の詳細は後述する。
【０１１８】
データ保存部７５はデータを保存する。
予約信号生成部７６は、シャットダウンを予約するための予約信号を生成する。予約信号生成部７６は、予約信号生成手段の一例である。
【０１１９】
以下、第７の形態について、図２０のフローを参照しながら説明する。
ステップＳ１では、操作者は表示装置６２に［data save］ボタンを表示させる（図示せず）。[data save]ボタンは、Ｘ線ＣＴ装置１で収集したデータを記憶装置６３に保存するためのボタンである。操作者は、表示させた［data save］ボタンをクリックする。このボタンがクリックされると、ステップＳ２に進み、データ保存部７５は、データの保存を開始する。
【０１２０】
ステップＳ３では、操作者は、Ｘ線ＣＴ装置１をシャットダウンするために、表示装置６２に［Auto Shutdown］ボタンを表示させる（図示せず）。そして、操作者は、入力装置６１を操作し、表示させた［Auto Shutdown］ボタンをクリックする。［Auto Shutdown］ボタンがクリックされると、入力装置６１は、Ｘ線ＣＴ装置１のシャットダウンを実行することを表すシャットダウン信号を入力する。［Auto Shutdown］ボタンがクリックされたら、ステップＳ４に進む。
【０１２１】
ステップＳ４では、データ保存部７５が、データの保存が終了しているか否かを判定する。データの保存が終了している場合は、ステップＳ７に進み、シャットダウンが実行される。
一方、データの保存が終了していない場合、ステップＳ５に進む。
【０１２２】
図２１は、ステップＳ５の説明図である。
ステップＳ５では、予約信号生成部７６は、シャットダウンの実行を予約するための予約信号を生成する。予約部７１は、予約信号に応答して、実行されるプロセスとして「シャットダウン」を予約し、実行されるタイミングとして「データの保存が終了した後」を予約する。したがって、予約部７１は、「データの保存が終了した後シャットダウンを実行すること」を予約する。
【０１２３】
ステップＳ６では、データ保存部７５が、データの保存が終了したか否かを判定する。データの保存が終了していない場合は、データの保存が終了したと判定されるまで、ステップＳ６が実行される。そして、データの保存が終了すると、予約部７１は、データの保存終了後にシャットダウンを実行するためのトリガを生成する。このトリガが生成されると、ステップＳ７に進み、シャットダウンが実行される。
このようにして、図２０のフローが終了する。
【０１２４】
第７の形態では、データの保存中に、操作者が、Ｘ線ＣＴ装置１をシャットダウンさせるための操作を行うと、予約部７１は、「データの保存が終了した後にシャットダウンを実行する」ことを予約する。したがって、データ保存が終了するまではシャットダウンが開始されず、データ保存が終了した後にシャットダウンが開始される。このため、操作者は、データ保存の終了を待たなくてもシャットダウンさせるための操作を行うことができるので、作業を効率的に進めることができる。
【０１２５】
尚、第７の形態では、データ保存中にシャットダウンボタンをクリックした例について説明したが、データ保存とは別のプロセスの実行中にシャットダウンボタンがクリックされた場合も、当該別のプロセスが終了した後にシャットダウンの実行が予約されるようにしてもよい。別のプロセスの一例としては、画像を再構成するプロセスや、再構成された画像をサーバに転送するプロセスなどが考えられる。データ保存、画像再構成、画像の転送は、画像の高解像度に伴って時間の掛かるプロセスであるが、本形態の方法を用いることにより、操作者は、これらのプロセスの終了を待たなくてもシャットダウンさせるための操作を行うことができるので、操作者は作業を効率的に進めることができる。
【０１２６】
尚、第１〜第７の形態は、Ｘ線ＣＴ装置であるが、本発明は、Ｘ線以外の放射線、例えばガンマ線（ｇａｍｍａ ｒａｙ）を用いる断層撮影装置にも適用可能である。
【符号の説明】
【０１２７】
１  Ｘ線ＣＴ装置
２  ガントリ
２Ｂ  空洞部
４  撮影テーブル
５  被検体
６  操作コンソール
２１  Ｘ線管
２２  アパーチャ
２３  コリメータ装置
２４  Ｘ線Ｘ線検出器
２５  データ収集部
２６  回転部
２７  高電圧電源
２８  アパーチャ駆動装置
２９  回転駆動装置
３０  制御部
４１  クレードル
４２  駆動装置
６１  入力装置
６２  表示装置
６３  記憶装置
６４  演算処理装置
７１  予約部
７２  再構成部
７３  画質評価部
７４  表示制御部
７５  データ保存部
７６  予約信号生成部
９０  記憶媒体
【図１】
2019010426.tif 000003
【図２】
2019010426.tif 000004
【図３】
2019010426.tif 000005
【図４】
2019010426.tif 000006
【図５】
2019010426.tif 000007
【図６】
2019010426.tif 000008
【図７】
2019010426.tif 000009
【図８】
2019010426.tif 000010
【図９】
2019010426.tif 000011
【図１０】
2019010426.tif 000012
【図１１】
2019010426.tif 000013
【図１２】
2019010426.tif 000014
【図１３】
2019010426.tif 000015
【図１４】
2019010426.tif 000016
【図１５】
2019010426.tif 000017
【図１６】
2019010426.tif 000018
【図１７】
2019010426.tif 000019
【図１８】
2019010426.tif 000020
【図１９】
2019010426.tif 000021
【図２０】
2019010426.tif 000022
【図２１】
2019010426.tif 000023